(57)【要約】      （修正有）【課題】引戸を戸閉側端部付近に急速に近接させたとしても、その戸閉終了間際における引戸の速度が適正に減速されつつ良好な戸閉動作を行なうと共に戸閉具を引戸の外部より保護することができる戸閉装置を提供する。【解決手段】棒状ケーシングと、緩衝ダンパ３と、該緩衝ダンパ３のシリンダ部３１の基部端及びピストンロッド３２先端にそれぞれ軸支したフック部材４と、対向する両フック部材４，４間に設けられた引張り弾性体とからなる戸閉具Ａと、装着溝部１００ｃが形成され、下端には走行ローラ８が装着された引戸１００と、ガイドレールとからなり、装着溝部１００ｃに戸閉具の棒状ケーシングが装着され、ガイドレールの戸閉する両箇所付近に、フック部材４が棒状ケーシングの係止溝への係止を解除する固定突起９が設けられ、少なくとも一方側の前記フック部材４が前記棒状ケーシング１の係止溝に係止される。【選択図】図１
2010024744.tif 000002
【特許請求の範囲】
【請求項１】
長手方向の両端側に係止溝を有する棒状ケーシングと、シリンダ部とピストンロッドとからなる緩衝ダンパと、前記シリンダ部の基部端及び前記ピストンロッド先端にそれぞれ軸支したフック部材と、対向する両フック部材間に設けられた引張り弾性体とからなる戸閉具と、該戸閉具の前記棒状ケーシングが埋め込まれる装着溝部が頂部に形成され、下端には走行ローラが装着された引戸と、該引戸の上部箇所を開閉方向に案内させるガイドレールとからなり、前記引戸の装着溝部に前記戸閉具の棒状ケーシングが装着され、前記ガイドレールの戸閉する両箇所付近に、前記フック部材が前記棒状ケーシングの係止溝への係止を解除する固定突起が設けられてなり、少なくとも一方側の前記フック部材が前記棒状ケーシングの係止溝に係止されてなることを特徴とする戸閉装置。
【請求項２】
請求項１において、前記棒状ケーシングの長手方向両端には、該棒状ケーシングの下端面よりも上方に位置する略板片状の端部取付片が形成され、且つ前記引戸の装着溝部にはその長手方向の両端に略浅溝とした取付段差部が形成され、前記棒状ケーシングの両端部取付片は、前記装着溝部の取付段差部に載置固着されてなることを特徴とする戸閉装置。
【請求項３】
請求項１又は２において、前記棒状ケーシングの中間にガイド部材が固着され、該ガイド部材のガイド部に前記シリンダ部が遊挿されて該シリンダ部は前記ガイド部材に対して摺動自在に構成されてなることを特徴とする戸閉装置。
【請求項４】
請求項１,２又は３のいずれか１項の記載において、前記両フック部材間の引張り弾性体にて前記フック部材に形成された係止突起が前記係止溝に係止されてなることを特徴とする戸閉装置。
【請求項５】
請求項１，２，３又は４のいずれか１項の記載において、前記フック部材は、フック部と回転基部とからなり、前記フック部は、三角状の係止部と立上り状の当接部が凹み部を介して形成され、前記両フック部材の回転基部間に前記引張り弾性体が張設されてなることを特徴とする戸閉装置。
【請求項６】
請求項１，２，３，４又は５のいずれか１項の記載において、前記フック部材は、前記シリンダ部の基部端及び前記ピストンロッド先端にそれぞれ設けた取付部材に軸支されてなることを特徴とする戸閉装置。
【発明の詳細な説明】
【技術分野】
【０００１】
本発明は、部屋の間仕切り又は食器棚，本棚，陳列棚，キャビネット等の種々の収納家具における引戸において、下端面に走行用の戸車が装着された引戸を戸閉側端部付近に急速に近接させたとしても、その戸閉終了間際における引戸の速度が適正に減速されつつ良好な戸閉動作を行なうことができる戸閉装置に関する。
【背景技術】
【０００２】
従来より、部屋の間仕切り引戸が装着されることが多い。この引戸は、小さい間口の収納家具であれば間口箇所の上下にガイドレールが構成され、ガラス板の上下端部がそのガイドレールに挿入された極めて簡単な構造のものが備えられている。また、食器棚，本棚，陳列棚等の種々の収納家具の大形の引戸についても、同様である。そしてこのように、部屋の間仕切り引戸や、大型の家具に使用される引戸は重量も極めて大きくなっている。
【特許文献１】特開２００６−６３７１９
【発明の開示】
【発明が解決しようとする課題】
【０００３】
このような大型の引戸は、その重量が重いため、引戸が一旦，移動し始めるとその勢いにより、キャビネットの枠に大きな衝撃を有して衝突状に当接するおそれがある。このような状態は、間仕切り引戸を備えた高級な室内や、又は家具の品質を低下させてしまい、高級感を損ねてしまうおそれがある。さらに、部屋の仕切りとして使用される引戸では、動作に静粛さが要望されるものであり、前述したように大きな衝撃を有して戸当たりに衝突状に当接するおそれがあり、このような引戸は、高級仕様の室内では、決して相応しいものとはいえない。また、前述したような引戸の戸閉側端部における戸閉の衝突状態を防止しようとすると、結局，引戸の戸閉動作の勢いをなるべく小さくすることになり、それゆえに引戸の戸閉状態が不完全なものになりやすい。
【０００４】
さらに、引戸の戸閉動作における緩衝機能を有するものでは、その装置が大型化することが多く、それゆえに戸閉装置が引戸装置の外部に露出してしまい、余分なスペースを必要とし、且つその外観も損なうことになる。特許文献１では、特に、戸閉装置が引戸装置の外部に露出すると共に、余分なスペースを必要とし、且つその外観も損なう欠点がある。さらに、そのクローザーは、引戸の左右側にそれぞれ必要とされ、割高となる欠点がある。また、引戸を開けるときに、把手の位置によっては、引戸には移動方向にモーメントがかかり、引戸がガイドレールに対して傾斜してしまうことがあり、開閉動作が安定しにくいことがありうる。さらに、戸閉具を家具の引戸装置に装着するときに、フック等の可動する部品に誤って手を触れると不必要に動作してしまい、組付作業時に作業が行いにくくなってしまうことがある。
【０００５】
このため、本発明が解決しようとする課題（技術的課題又は目的等）は、戸閉終了間際における引戸の速度を適正に減速させて、引戸開閉時における動作を良質なものとし、さらにその戸閉装置の取付けスペースを僅かなものとし、さらに、戸閉具の引戸装置への組付け時において、戸閉具のフック等の構成部材が不用意に可動することなく、極めて簡単且つ効率的な組付作業を実現することである。
【課題を解決するための手段】
【０００６】
そこで、発明者は、上記課題を解決すべく、鋭意，研究を重ねた結果、請求項１の発明を、長手方向の両端側に係止溝を有する棒状ケーシングと、シリンダ部とピストンロッドとからなる緩衝ダンパと、前記シリンダ部の基部端及び前記ピストンロッド先端にそれぞれ軸支したフック部材と、対向する両フック部材間に設けられた引張り弾性体とからなる戸閉具と、該戸閉具の前記棒状ケーシングが埋め込まれる装着溝部が頂部に形成され、下端には走行ローラが装着された引戸と、該引戸の上部箇所を開閉方向に案内させるガイドレールとからなり、前記引戸の装着溝部に前記戸閉具の棒状ケーシングが装着され、前記ガイドレールの戸閉する両箇所付近に、前記フック部材が前記棒状ケーシングの係止溝への係止を解除する固定突起が設けられてなり、少なくとも一方側の前記フック部材が前記棒状ケーシングの係止溝に係止されてなる戸閉装置としたことにより、上記課題を解決した。
【０００７】
請求項２の発明を、前述の構成において、前記棒状ケーシングの長手方向両端には、該棒状ケーシングの下端面よりも上方に位置する略板片状の端部取付片が形成され、且つ前記引戸の装着溝部にはその長手方向の両端に略浅溝とした取付段差部が形成され、前記棒状ケーシングの両端部取付片は、前記装着溝部の取付段差部に載置固着されてなる戸閉装置としたことにより、上記課題を解決した。
【０００８】
請求項３の発明を、前述の構成において、前記棒状ケーシングの中間にガイド部材が固着され、該ガイド部材のガイド部に前記シリンダ部が遊挿されて該シリンダ部は前記ガイド部材に対して摺動自在に構成されてなる戸閉装置としたことにより、上記課題を解決した。請求項４の発明を、前述の構成において、前記両フック部材間の引張り弾性体にて前記フック部材に形成された係止突起が前記係止溝に係止されてなる戸閉装置としたことにより、上記課題を解決した。
【０００９】
請求項５の発明を、前述の構成において、前記フック部材は、フック部と回転基部とからなり、前記フック部は、三角状の係止部と立上り状の当接部が凹み部を介して形成され、前記両フック部材の回転基部間に前記引張り弾性体が張設されてなる戸閉装置としたことにより、上記課題を解決した。請求項６の発明を、前述の構成において、前記フック部材は、前記シリンダ部の基部端及び前記ピストンロッド先端にそれぞれ設けた取付部材に軸支されてなる戸閉装置としたことにより、上記課題を解決した。
【発明の効果】
【００１０】
請求項１の発明によれば、戸閉具は、一枚の引戸を左方向に閉じたり、右方向に閉じるときに、左閉じ用、右閉じ用と２つが必要であったが、１つで、両方の機能を備えることができる最大の利点がある。また、極めてコンパクトにすることができ、引戸装置の僅かなスペースに容易に装着することができるものである。さらに、棒状であり、簡易な構成にでき、安価に提供できる。さらに戸閉具は、引戸の装着溝部に棒状ケーシングが埋め込まれるようにして装着されるものである。
【００１１】
したがって、戸閉具は、前記装着溝部によって、緩衝ダンパ等の戸閉具を構成する部材が外部に露出した状態とならず、戸閉具は引戸自体によって外部から保護される。よって、これらの構成部材が戸閉具の外部の物体に直接接触することがなく、故障，破損等の不都合を防止することができる。さらに戸閉具が引戸から外部に露出していないので、引戸及びガイドレール等からなる引戸装置の外観を整然且つ良好なものにすることができ、本発明が使用される部屋の間仕切り引戸における高級感をより一層向上させることができる利点がある。
【００１２】
請求項２の発明では、戸閉具の棒状ケーシングの長手方向両端には、該棒状ケーシングの下端面よりも上方に位置する略板片状の端部取付片が形成されたものであり、且つ前記引戸の装着溝部には、その長手方向の両端に略浅溝とした取付段差部が形成され、前記棒状ケーシングの両端部取付片が前記装着溝部の取付段差部に載置固着される構造としている。よって、戸閉具の端部取付片の位置と、前記装着溝部の取付段差部との位置を適正に設定することにより、戸閉具を引戸に正確に装着することができ、ひいては戸閉具の装着状態を強固なものにすることができる。
【００１３】
請求項３の発明では、特に、ガイド部材のガイド部に前記シリンダ部が遊挿されて該シリンダ部は前記ガイド部材に対して摺動自在に構成されていることで、安定した動作にできる利点がある。請求項４の発明では、請求項１と略同等の効果を奏するものである。請求項５の発明では、具体的な構成として確実な作用をなす戸閉具を提供できる。請求項６の発明では、取付構造としては、緩衝ダンパ又はエアダンパに対して簡単にできる。
【発明を実施するための最良の形態】
【００１４】
以下、本発明の実施形態を図面に基づいて説明する。本発明は、主に戸閉具Ａ，引戸１００，上ガイドレール１０２，床ガイドレール１０３及び固定突起９等から構成される。まず本発明における戸閉具Ａは、図１（Ｂ），図２乃至図６等に示すように、主に、棒状ケーシング１と、ガイド部材２と、緩衝ダンパ３と、フック部材４及び引張り弾性体５とから構成されている。前記棒状ケーシング１は、長手方向に比較的長さの長いケーシング本体１１と、端部材１２，１２とからなり、該端部材１２には、溝状の係止溝１２ａ，１２ａが形成されている。
【００１５】
具体的には、端部材１２の断面両側に同一の溝として、弧状の係止溝１２ａ，１２ａが形成されている〔図５（Ｂ），（Ｃ）参照〕。前記引張り弾性体５には、金属性のコイルバネは勿論包含されるが、合成ゴムなどの弾性体も包含されるものである。棒状ケーシング１の長手方向両端には、端部取付片１２ｂ,１２ｂが形成されている〔図２（Ａ）乃至（Ｃ），図３，図４参照〕。該端部取付片１２ｂは、前記端部材１２に一体形成されたものであり、前記棒状ケーシング１の下端より、上方に位置して形成されたもので、さらに具体的には、棒状ケーシング１の上端側付近に形成されたものである。前記端部取付片１２ｂは、略平板状に形成されたものであり、ビス等の固着具用の貫通孔が形成され、後述する引戸１００に戸閉具を装着する部位となる。
【００１６】
引戸１００には、図２（Ａ）,図５（Ａ）に示すように、その頂部１００ａに装着溝部１００ｃが形成されている。該装着溝部１００ｃには、戸閉具Ａが装着される〔図１（Ｂ）参照〕。さらに、引戸１００の下端１００ｂには、走行ローラ８が装着されている。前記装着溝部１００ｃは、図２（Ａ），図５（Ａ）に示すように、引戸１００の幅方向（引戸１００が往復移動する方向に等しい）に沿って、平面形状が略長方形状にとなるように形成されたものである。
【００１７】
前記装着溝部１００ｃは、本体挿入部１００ｄと前記装着溝部１００ｃの長手方向の両端に略浅溝とした取付段差部１００ｅ,１００ｅが形成され〔図５（Ａ）参照〕、該本体挿入部１００ｄに戸閉具Ａのケーシング本体１１が挿入配置され、前記取付段差部１００ｅ,１００ｅに前記棒状ケーシング１の両端部取付片１２ｂ,１２ｂが載置され、ビス等の固着具にて固着される。引戸１００の下端１００ｂには、走行ローラ８が装着されている〔図１３（Ｂ）参照〕。該走行ローラ８は、戸車タイプのものであり、床ガイドレール１０３によって案内されるものである（図１参照）。そして、前記走行ローラ８の幅方向中央に円周溝部８１が形成されており、該円周溝部８１に前記床ガイドレール１０３が遊挿状態で係合する構成となっている〔図１３（Ｂ）参照〕。
【００１８】
前記ガイド部材２は、図２（Ｄ）に示すように、上部に筒状のガイド部２１が形成され、該ガイド部２１の下側に取付片２２，２２が形成されている。該取付片２２，２２を介して前記棒状ケーシング１の前後の辺に取り付けられている。ガイド部２１は、２つの円筒状部２１ａ，２１ａが離間すると共に直線状に隣接する構成となっている。前記緩衝ダンパ３は、図１，図２，図５等に示すように、シリンダ部３１とピストンロッド３２と圧力調整部３３と液体又は気体（空気）とから構成されている（図６参照）。該液体としては、オイル又はジェル状のグリスなどの液体、或いはエア（空気）である。液体の場合、粘性のある液体であれば、前記材質，物質に限定されない。
【００１９】
前記緩衝ダンパ３は、エアダンパ３０として構成されることが多い。そのシリンダ部３１は、これらの液体が漏れることのないように密封性を有している。液体内の該シリンダ部３１内には、必要に応じて復帰スプリングが装着されて、前記ピストンロッド３２がシリンダ部３１から常時突出した状態に維持されるように弾性的に付勢されることがある。前記棒状ケーシング１の中間にガイド部材２が固着され、該ガイド部材２のガイド部２１に前記シリンダ部３１が遊挿されて該シリンダ部３１は前記ガイド部材２に対して摺動自在に構成されている。
【００２０】
前記圧力調整部３３には、液体の流れを速めたり、遅くするような公知の構成が設けられている。また、エア量の制御の前記圧力調整部３３には、図６に示すように、エア量の調整が可能なニードル弁３３ａ及び回転操作部３３ｂが設けられている。該回転操作部３３ｂは、具体的には六角孔等である。３３ｃ，３３ｄはエア抜け孔、３３ｅはエア流通可能な蓋部である。前記ニードル弁３３ａの締め付け、緩めによって、エアの逃げ量を調節して衝撃力に適宜対応するものである。前記エアダンパ３０として構成された場合には、衝撃吸収が良好にでき、緩衝効果の優れた製品にできると共に、前記圧力調整部３３の調整がし易いものである。
【００２１】
また、前記ピストンロッド３２の先端には、安定部３２ａが装着されている〔図３（Ａ），（Ｄ）参照〕。該安定部３２ａは、略長方形の板状部材で、その長手方向が棒状ケーシング１の長手方向に略直交するようにして設けられたものである。前記安定部３２ａは、前記棒状ケーシング１の上端縁に載置され、前記上端縁上を摺動し、ピストンロッド３２の移動を円滑且つ良好なものにできる。
【００２２】
前記フック部材４は、前記シリンダ部３１の基部端〔図２（Ａ）において右側端〕及び前記ピストンロッド３２先端〔図２（Ａ）において左側端〕に、直接又は取付部材６，７を介してそれぞれ軸支４２ａされている（図３，図４参照）。前記フック部材４は、ほぼＵ字形のフック部４１と回転基部４２と係止突起４３とで構成されている。
【００２３】
具体的には、図２及び図４に示すように、前記フック部４１は、先端側で三角状の係止部４１ａの後部側に、立上り状の当接部４１ｃが凹み部４１ｂを介して形成されている。つまり、三角状の係止部４１ａと凹み部４１ｂと当接部４１ｃとでほぼＵ字形をなしている。前記凹み部４１ｂには、適宜の位置に固定されている被当接片（後述の固定突起９等）が挿入係止される。該被当接片は、食器棚，本棚，陳列棚等の種々の収納家具，キャビネット又は部屋の間仕切りにおける引戸１００の戸閉側の近辺に取り付けられている。
【００２４】
さらに、前記フック部材４は、前記シリンダ部３１の基部端〔図２（Ａ）において右側端〕には取付部材６が、前記ピストンロッド３２先端〔図２（Ａ）において左側端〕には取付部材７がそれぞれ介して回転可能に軸支４２ａされている。前記取付部材６は、図４（Ｄ），（Ｅ）に示すように、逆Ｔ字形部６１，６１を左右対称に設けてこの後部が連結片６２にて結合されて構成されている。該連結片６２箇所中央に、前記引張り弾性体５の両端側の端部係合部５１，５１を係合する係合溝６２ａが形成されている。
【００２５】
前記フック部材４の回転基部４２が、前記シリンダ部３１の基部端（図１において右側端）の取付部材７に軸支４２ａされている。また、図３（Ｆ）に示すように、前記取付部材７は上から見て断面コ字状をなした本体部７１で構成され、後部壁片の下側に、前記引張り弾性体５の他方側の端部係合部５１を係合する係合溝７１ａが形成されている。前記引張り弾性体５は、引張りコイルバネ５２として使用されることが多い。
【００２６】
また、図３（Ｄ）及び（Ｅ）に示すように、前記フック部材４の係止突起４３，４３は、前記フック部４１の先端側の左右側に飛び出して形成されている。該係止突起４３は、前記棒状ケーシング１の係止溝１２ａに係止可能に構成されている。本発明の戸閉具は、通常の状態では、図１（Ｂ），図５（Ａ）に示すように、両フック部材４，４間である、取付部材６，７間に、前記引張り弾性体５が張設されている。この発明において、極めて重要な点は、戸閉具として極めて単純な形状・構造であると共に、開閉ドアなどに対して、右側閉じでも、左側閉じでも良好にでき、本発明品一つのみの少ない部材で良好に対応できる発明である。
【００２７】
前記棒状ケーシング１の長手方向両端には、該棒状ケーシング１の下端面よりも上方に位置する略板片状の端部取付片１２ｂが形成されており、且つ前記引戸１００の装着溝部１００ｃにはその長手方向の両端に略浅溝とした取付段差部１００ｅ,１００ｅが形成されている。そして、前記戸閉具Ａを前記引戸１００の装着溝部１００ｃに装着するときには、前記棒状ケーシング１の両端部取付片１２ｂ,１２ｂが前記装着溝部１００ｃの取付段差部１００ｅ,１００ｅに載置され、ビス等の固着具を介して固着される。
【００２８】
このようにして、戸閉具Ａの棒状ケーシング１は、引戸１００の装着溝部１００ｃに埋め込まれるようにして固着されるものである。前記フック部材４の凹み部４１ｂが、後述する固定突起９と係止状態のときに、引戸１００の頂部１００ａの表面から全部露出するよう設置されなくてはならない。さらに、前記固定突起９と係止していない状態であっても、固定突起９と、フック部材４の立上り状の当接部４１ｃとは常に当接可能となるように、前記当接部４１ｃのみ引戸１００の頂部１００ａの表面から突出した状態となっている〔図１（Ｂ）参照〕。
【００２９】
図１５は、固定突起９の実施形態を示すものである。固定突起９は、図１５（Ａ），（Ｂ）に示すように、複数の部材から構成され、突起部材９１，ベース部材９２，押え部材９３から構成されている。前記突起部材９１は、弾性を有する部材であるが、フック部材４と衝突することに十分に耐えうる部材であり、硬質ゴム、合成樹脂等から形成されている。突起部材９１には突起片９１ａ，基板部９１ｂからなり、突起片９１ａは、略台形状の板片として形成され、前記基板部９１ｂは、小片であり前記突起部材９１に対して直角に形成されている。さらに該基板部９１ｂの一部にはストッパ９１ｃが形成されている〔図１５（Ｂ）参照〕。
【００３０】
前記ベース部材９２は、略長方形状の板体として形成されたものであり、その長手方向に沿って略長孔状の挿入孔９２ａが形成されている。該挿入孔９２ａの幅方向両側には補強リブ９２ｂ，９２ｂが形成されている。該補強リブ９２ｂ，９２ｂは、台形状に形成されている。さらに、前記ベース部材９２の幅方向両端には薄肉部９２ｃ，９２ｃが形成されている〔図１５（Ｂ）参照〕。さらに、ベース部材９２には、後述する押え部材９３を装着するための螺子孔９２ｄが２個形成されている。押え部材９３は、略長方形の板片であり幅方向寸法は前記ベース部材９２の幅方向寸法と略同一であり、螺子用貫通孔６３ａが２個形成されている〔図１５（Ｂ），（Ｄ）参照〕。前記ベース部材９２の挿入孔９２ａに、前記突起部材９１の基板部９１ｂが挿入され、ストッパ９１ｃがベース部材９２の裏面側にて当接する〔図１５（Ｃ）参照〕。
【００３１】
突起部材９１の突起片９１ａは、両補強リブ９２ｂ，９２ｂによって挟持された状態となる。また前記突起片９１ａは、補強リブ９２ｂよりも面積が広く形成されており、ベース部材９２に突起部材９１を装着した状態で突起片９１ａの周囲は補強リブ９２ｂ，９２ｂの周囲から僅かに突出するようになっている。突起片９１ａは、両補強リブ９２ｂ，９２ｂによって補強されることとなり、突起片９１ａが前記フック部材４と衝突したときの衝撃に十分に耐えうるようにしている。
【００３２】
上ガイドレール１０２には、上方側に水平溝１０２ａ，１０２ａが形成されている。両水平溝１０２ａ，１０２ａ内には前記ベース部材９２の両薄肉部９２ｃ，９２ｃが挿入される〔図１５（Ｅ）参照〕。前記押え部材９３が前記ベース部材９２と共に水平溝１０２ａ，１０２ａを構成する水平突出条１０２ｂを挟持するようにして、前記ベース部材９２の螺子孔９２ｄ及び押え部材９３の螺子用貫通孔９３ａにビス等の固着具９４が挿入され、締付けられて固着される〔図１５（Ｆ）参照〕。固着具９４は、締付けることによって、図１３（Ａ）に示すように、固定突起９を上ガイドレール１０２の所望の箇所に固定することができる。さらに、前記固着具９４を緩めることにより、固定突起９を上ガイドレール１０２の所望の位置に移動させ、位置の調整を行うことができる〔図１５（Ｇ）参照〕。
【００３３】
本発明の戸閉具を、引戸１００に取付けた構成について図７乃至図１４にて説明する。本発明の戸閉具が１個で、図１４に示すような、部屋における間仕切りの引戸１００又は食器棚，本棚，陳列棚等の種々の収納家具，キャビネット等の引戸１００において、左閉じ、右閉じに対応できる作用について図７乃至図１２に基づき説明する。左閉じ作用とは、図７乃至図９及び図１４において、左側の閉鎖部に当接させる場合である。また、戸閉側及び戸開側の概念もあり、図７乃至図９及び図１４において、右側から左側に向かう方向が戸閉側であるが、図１４の場合には、左右側のどちらでも戸閉側又は戸開側となるため、本明細書においては、左閉じ又は左閉じ開放、右閉じ又は右閉じ開放という説明で行なう。なお、図１４において、Ｗ０は、左右側に自由な速度（高速など）に移動できるフリー状態の領域、Ｗ１は左閉じ又は右閉じの際において、引戸１００を移動させるときの低速度領域である。
【００３４】
まず、左閉じの作用を、図７乃至図９にて説明する。図７に示すように、左右側の前記フック部材４，４の係止突起４３が、前記棒状ケーシング１の左右側の係止溝１２ａに係止した状態を保持して引戸１００は移動可能となっている。前記フック部材４の係止突起４３が係止溝１２ａに係止した位置を定位置とする。この場合、定位置は、左側及び右側が存在する。そして、開き状態の引戸１００が、図７（Ａ）において左方向に勢いの良い速度Ｖで移動する。この詳細状態が図８（Ｂ）に示す通りである。
【００３５】
次いで、フック部材４が、固定突起９に近接して、その瞬間に、図７（Ｃ）及び（Ｄ）に示すように、固定突起９に前記フック部材４の当接部４１ｃが当接する。この瞬間に、図８（Ａ）及び（Ｂ）に示すように、前記フック部材４を回転させる。このときに、前記固定突起９に前記フック部材４が係止する。つまり、前記固定突起９と前記フック部材４とは一体化する。さらに、この瞬間に、引戸１００の荷重と加速度とが加わって、フック部材４に対して衝撃状態となって、その衝撃力を前記緩衝ダンパ３にて緩衝する。この作用を詳述する。
【００３６】
この緩衝作用は、緩衝ダンパ３にて、勢いのある速度Ｖを、低速度ｖに急激に低下させると同時に、引戸１００の位置も戸閉め側に瞬時に近づけることができる。つまり、緩衝時に距離Ｌｘだけピストンロッド３２が縮み作用をなす。図８（Ａ）及び（Ｂ）の状態から図８（Ｃ）及び（Ｄ）の状態になるのに、瞬時（１００分の数秒以下）に緩衝作用をなす。簡単に説明すると、図８（Ａ）及び（Ｂ）の状態と、図８（Ｃ）及び（Ｄ）の状態とは略同時に行なわれる。
【００３７】
緩衝ダンパ３のピストンロッド３２がシリンダ部３１に引き込む動作を行なう場合には、内部に充填された液体やエアが抵抗力Ｒとなり、前記引張り弾性体５の弾性力Ｆを減少させ、これによってフック部材４の戸閉方向の速度を減少させ、前記棒状ケーシング１の後方側に移動させる役目をなすものである。そして、図８（Ｃ）及び（Ｄ）の低速度ｖとなってからは、今度は、引張り弾性体５の弾性力Ｆにて、低速度ｖにて引戸１００を移動させる。つまり、緩衝ダンパ３による抵抗力Ｒ（衝撃時でない通常速度のとき）とすると、引張り弾性体５の弾性力Ｆからピストンロッド３２を縮ませつつの抵抗力Ｒを除いた力が引戸１００を引く力：Ｐとなる。
すなわち、Ｐ＝Ｆ−Ｒとなる。
【００３８】
かなり、ゆっくりとした速度ｖで、図９（Ａ）及び（Ｂ）の状態のように、戸閉じの作用をなす。図９の（Ａ）及び（Ｂ）では、戸閉側に当たらんとしているが、低速度ｖでさらに左側に移動する。そして、図９（Ｃ）及び（Ｄ）の状態のように、引戸１００の左辺が戸閉側に当接して移動が停止する。このときにも、ピストンロッド３２が完全に縮んだ状態ではなく、少しのストロークであっても残存していることが必要である。この状態でなければ、引張り弾性体５の弾性力Ｆにての戸閉じめ作用は生じない。
【００３９】
特に、図８（Ｃ）及び（Ｄ）の状態では、前記固定突起９と前記フック部材４とは一体化しつつ前記引張り弾性体５の弾性力で、前記フック部材４は左回転して一体化を解除する方向にならんとするが、該フック部材４の係止突起４３，４３が、前記棒状ケーシング１の左右側の立上り側部１１ａ，１１ａの上縁に接触しつつ摺動自在となり、フック部材４は解除できないように構成されている。以上の左閉じの作用の状態では、前記フック部材４の係止突起４３が係止溝１２ａに係止した右側が定位置として機能する。さらに、前記引張り弾性体５にて付勢された前記フック部材４が係止溝１２ａに係止されないときには、前記フック部材４は前記固定突起９に係止するように構成され、且つ前記フック部材４は可動する。
【００４０】
次に、左閉じ解除の作用を説明する。これは、図９（Ｃ）及び（Ｄ）の状態から、図７（Ａ）及び（Ｂ）に示すように、逆に行なう。まず、図９（Ｃ）及び（Ｄ）の状態から、右方向に引戸１００を移動させる。前述したように、引戸１００には、Ｐ（＝Ｆ−Ｒ）なる力が左方向に加わっているため、そのＰなる力より大きな力で、右方向に引戸１００を移動させる。さらに、前記ピストンロッド３２を伸ばしつつ、図９（Ａ）及び（Ｂ）の状態から図８（Ｃ）及び（Ｄ）の状態へ、さらに、同図８（Ｃ）及び（Ｄ）の状態から図８（Ａ）及び（Ｂ）の状態に移動させる。
【００４１】
図８（Ａ）及び（Ｂ）の状態になった瞬間に、図７（Ｃ）及び（Ｄ）に示すように、前記フック部材４の係止突起４３が前記棒状ケーシング１の左側の係止溝１２ａ位置となると同時に、前記フック部材４の係止突起４３が左回転して、前記棒状ケーシング１の左側の係止溝１２ａに係止する。このとき、図１（Ａ）又は図７（Ａ）及び（Ｂ）に示すように、前記フック部材４の係止突起４３が前記棒状ケーシング１の左右側の係止溝１２ａ，１２ａに係止してその戸閉具のＰ（＝Ｆ−Ｒ）なる力は働かないようになり、つまり、引戸１００は急に軽くなって移動させることができる。該引戸１００の状態が、左閉じ用の力Ｐ（＝Ｆ−Ｒ）の解除の状態である。
【００４２】
次に、右閉じの作用を、図１０乃至図１２にて説明する。図１０（Ａ）及び（Ｂ）に示すように、左右側の前記フック部材４，４の係止突起４３が、前記棒状ケーシング１の左右側の係止溝１２ａに係止した状態を保持して引戸１００は移動可能となっている。この状態は、左閉じの図７（Ａ）と同一である。そして、開き状態の引戸１００を、図１０（Ａ）において右方向に勢いの良い速度Ｖで移動する。この詳細状態が図１０（Ｂ）に示す通りである。
【００４３】
そしてフック部材４が、固定突起９に近接して、その瞬間に、図１０（Ｃ）及び（Ｄ）に示すように、固定突起９に前記フック部材４の当接部４１ｃが当接する。この瞬間に、図１１（Ａ）及び（Ｂ）に示すように、前記フック部材４を左回転させる。このときに、前記固定突起９と前記フック部材４とは一体化する。さらに、この瞬間に、引戸１００の荷重と加速度とが加わって、フック部材４に対して衝撃状態となって、その衝撃力を前記緩衝ダンパ３にて緩衝する。この作用は、左閉じの作用と同じ作用をなすが、今度は可動部材の役割が一変する。
【００４４】
この緩衝作用は、緩衝ダンパ３にて、勢いの良い速度Ｖを、低速度ｖに速度を急激に低下させると同時に、引戸１００の位置も戸閉め側に瞬時に近づけることができる。つまり、緩衝時に距離Ｌｘだけピストンロッド３２が縮み作用をなす。確かに、該ピストンロッド３２が縮み作用であるが、該ピストンロッド３２先端は固定状態となっており、シリンダ部３１がガイド部２１内を移動する。以後、その先端は固定状態を保持する。次いで、図１１（Ａ）及び（Ｂ）の状態から図１１（Ｃ）及び（Ｄ）の状態になるのに、瞬時（１００分の数秒以下）に緩衝作用をなす。簡単に説明すると、図１１（Ａ）及び（Ｂ）の状態と、図１１（Ｃ）及び（Ｄ）の状態とはほぼ同時に行なわれる。
【００４５】
そして、図１１（Ｃ）及び（Ｄ）の低速度ｖとなってからは、今度は、引張り弾性体５の弾性力Ｆにて、低速度ｖにて引戸１００を移動させるものであり、この点は、前述の左閉じの作用と同じである。さらに、図１２（Ａ）及び（Ｂ）の状態から図１２（Ｃ）及び（Ｄ）の状態の右閉じ完了までも、シリンダ部３１がガイド部２１内を移動する点を除いて、前述の左閉じの作用と同じである。このため、その説明を省略する。以上の右閉じの作用の状態では、前記フック部材４の係止突起４３が係止溝１２ａに係止した左側が定位置として機能する。
【００４６】
また、右閉じ解除の作用を説明する。これは、図１２（Ｃ）及び（Ｄ）の状態から、図１０（Ａ）及び（Ｂ）に示すように、逆に行なうものであり、シリンダ部３１がガイド部２１内を移動する点を除いて、前述の左閉じの解除作用と同じであり、この説明を省略する。また、本発明の戸閉具は、引戸１００の下部に取付けることも可能である。この場合では、引戸１００の下部側のガイドレールに突出する前記固定突起９が設けられ、引戸１００の動作は、上部に本発明を取付けた場合と同様であり、説明を省略する。
【図面の簡単な説明】
【００４７】
【図１】（Ａ）は本発明の正面略示図、（Ｂ）は（Ａ）の一部断面とした拡大図である。
【図２】（Ａ）は本発明における戸閉具と引戸の要部斜視図、（Ｂ）及び（Ｃ）は本発明の要部斜視図、（Ｄ）はガイド受部材の斜視図である。
【図３】（Ａ）は本発明の一部断面とした正面図、（Ｂ）はフック部材箇所の一部断面とした平面図、（Ｃ）はフック部材及びケーシング本体の一部断面図、（Ｄ）はフック部材箇所の斜視図、（Ｅ）はフック部材の斜視図、（Ｆ）は取付部材の一部切除した斜視図である。
【図４】（Ａ）は本発明の一部正面図、（Ｂ）はフック部材箇所の一部断面とした平面図、（Ｃ）はフック部材箇所の斜視図、（Ｄ）及び（Ｅ）は取付部材の斜視図である。
【図５】（Ａ）は本発明における戸閉具と引戸とが分離されて断面を有する要部正面図、（Ｂ）及び（Ｃ）は戸閉具の一部断面とした正面図である。
【図６】緩衝ダンパのシリンダ部，ピストンロッド及び圧力調整部の断面図である。
【図７】（Ａ），（Ｂ），（Ｃ）及び（Ｄ）は左閉じの開始状態の作用図である。
【図８】（Ａ），（Ｂ），（Ｃ）及び（Ｄ）は左閉じの途中状態の作用図である。
【図９】（Ａ），（Ｂ），（Ｃ）及び（Ｄ）は左閉じ終了直前及び左閉じ終了状態の作用図である。
【図１０】（Ａ），（Ｂ），（Ｃ）及び（Ｄ）は右閉じの開始状態の作用図である。
【図１１】（Ａ），（Ｂ），（Ｃ）及び（Ｄ）は右閉じの途中状態の作用図である。
【図１２】（Ａ），（Ｂ），（Ｃ）及び（Ｄ）は右閉じ終了直前及び右閉め終了状態の作用図である。
【図１３】（Ａ）は本発明における上ガイドレール側箇所の縦断側面図、（Ｂ）は本発明における床ガイドレール側箇所の縦断側面図である。
【図１４】本発明における引戸装置の正面略示図である。
【図１５】（Ａ）は固定突起の斜視図、（Ｂ）は固定突起の分解斜視図、（Ｃ）は（Ｂ）のＸｅ−Ｘｅ矢視断面図、（Ｄ）は（Ｂ）のＸｆ−Ｘｆ矢視断面図、（Ｅ）は固定突起をガイドレールに装着する工程図、（Ｆ）は固定突起をガイドレールに装着完了した状態図、（Ｇ）は固定突起の位置調整を示す作用図である。
【符号の説明】
【００４８】
Ａ…戸閉具、１…棒状ケーシング、１２ａ…係止溝、３…緩衝ダンパ、
３１…シリンダ部、３２…ピストンロッド、４…フック部材、５…引張り弾性体、
８…走行ローラ、１００…引戸、１００ｃ…装着溝部、１００ｅ…取付段差部。
【図１】
2010024744.tif 000003
【図２】
2010024744.tif 000004
【図３】
2010024744.tif 000005
【図４】
2010024744.tif 000006
【図５】
2010024744.tif 000007
【図６】
2010024744.tif 000008
【図７】
2010024744.tif 000009
【図８】
2010024744.tif 000010
【図９】
2010024744.tif 000011
【図１０】
2010024744.tif 000012
【図１１】
2010024744.tif 000013
【図１２】
2010024744.tif 000014
【図１３】
2010024744.tif 000015
【図１４】
2010024744.tif 000016
【図１５】
2010024744.tif 000017